(57)【特許請求の範囲】
【請求項１】
樹脂製ボトル成型用のプリフォームが多数収容されているコンテナを受け取るコンテナ受取部を設け、
前記コンテナ受取部で受け取った前記コンテナを搬送するコンベア装置を複数設け、その複数のコンベア装置により搬送された前記コンテナから前記プリフォームを受け取って成型するブロー成型機を設けてあるボトル成型設備において、
前記複数のコンベア装置夫々にプリフォーム情報一時保管手段を設けておいて、
前記コンテナ受取部に投入される前記コンテナに付設のプリフォーム情報を読み取り、
前記複数のコンベア装置間で前記コンテナを受け渡しながら搬送すると同時に、その受け渡すコンテナにおける前記プリフォーム情報を順次リレー式に複数の前記プリフォーム情報一時保管手段に受け渡し、前記プリフォーム情報一時保管手段におけるプリフォーム情報を、前記ブロー成型機により前記プリフォームから成型される前記樹脂製ボトルに関連付けて保管しておくボトル成型設備の情報管理方法。
【請求項２】
樹脂製ボトル成型用のプリフォームが多数収容されているコンテナを受け取るコンテナ受取部を設け、
前記コンテナ受取部で受け取った前記コンテナを搬送する第１移送機構を設け、
前記第１移送機構が、複数のコンベア装置を直列に並べて前記コンテナを受渡し搬送する直列リレー搬送経路と、
その直列リレー搬送経路の終端部に、複数の経路に分岐するように複数のコンベア装置を並列に並べる分岐並列リレー搬送経路とを設けてあり、
前記コンテナを反転させて前記コンテナ内の前記プリフォームを放出させるコンテナ反転装置と、
前記コンテナ反転装置によって前記コンテナから放出された多数の前記プリフォームを整列させてブロー成型機に供給する整列搬送装置とを設けた第２移送機構を、前記分岐並列リレー搬送経路夫々の終端部に連繋接続してあるボトル成型設備において、
前記複数のコンベア装置及び前記コンテナ反転装置夫々にプリフォーム情報一時保管手段を設けておいて、
前記コンテナ受取部に投入される前記コンテナに付設のプリフォーム情報を読み取り、
前記コンテナを前記第１移送機構及び前記第２移送機構により搬送するに伴って、複数のコンベア装置間で前記コンテナを受け渡しながら搬送すると同時に、その受け渡すコンテナの前記プリフォーム情報を順次リレー式に複数の前記プリフォーム情報一時保管手段に受け渡し、前記コンテナ反転装置及び前記整列搬送装置を介して前記ブロー成型機に前記プリフォームを受け渡しながら搬送すると同時に、前記プリフォーム情報を前記ブロー成型機により成型される前記樹脂製ボトルに関連付けて保管しておくボトル成型設備の情報管理方法。
【請求項３】
樹脂製ボトル成型用のプリフォームが多数収容されているコンテナを受け取るコンテナ受取部を設け、
前記コンテナ受取部で受け取った前記コンテナを搬送する第１移送機構を設け、
前記第１移送機構が、複数のコンベア装置を直列に並べて前記コンテナを受渡し搬送する直列リレー搬送経路と、
その直列リレー搬送経路の終端部に、複数の経路に分岐するように複数のコンベア装置を並列に並べる分岐並列リレー搬送経路とを設けてあり、
前記コンテナを反転させて前記コンテナ内の前記プリフォームを放出させるコンテナ反転装置と、
前記コンテナ反転装置によって前記コンテナから放出された多数の前記プリフォームを整列させてブロー成型機に供給する整列搬送装置とを設けた第２移送機構を、前記分岐並列リレー搬送経路夫々の終端部に連繋接続してあるボトル成型設備において、
前記コンテナ受取部に投入される前記コンテナに付設のプリフォーム情報を読み取る情報読み取り手段を設け、
前記複数のコンベア装置及び前記コンテナ反転装置夫々にプリフォーム情報一時保管手段を設け、
前記コンテナを前記第１移送機構により搬送するに伴って、複数のコンベア装置間で前記コンテナを受け渡しながら搬送すると同時に、その受け渡すコンテナの前記プリフォーム情報を前記情報読み取り手段から前記各コンテナの前記プリフォーム情報一時保管手段に順次リレー式に受け渡す第１情報伝達手段と、
前記コンテナを前記第１移送機構から前記第２移送機構により搬送するに伴って、前記コンテナ反転装置及び前記整列搬送装置を介して前記ブロー成型機に前記プリフォームを受け渡しながら搬送すると同時に、前記プリフォーム情報を前記ブロー成型機により成型される前記樹脂製ボトルと関連付けて保管する記憶手段に、前記プリフォーム情報一時保管手段からのプリフォーム情報を受け渡す第２情報伝達手段を設けてあるボトル成型設備の情報管理システム。
【請求項４】
前記コンベア装置夫々に、前記コンテナの受入を検知する受入検知手段と、前記コンテナの送り出しを検知する送り出し検知手段と、
前記コンベア装置の駆動装置を設け、
前記受入検知手段によるコンテナ受入検知から前記送り出し検知手段によるコンテナ送出し検知まで一つのコンテナのみを搬送するように前記駆動装置を作動させ、
前記受入検知手段によるコンテナ受入検知に基づいて搬送上手側の装置からのプリフォーム情報を前記プリフォーム情報一時保管手段に保管すると共に、前記送り出し検知手段によるコンテナ送り出し検知によって、前記プリフォーム情報を前記プリフォーム情報一時保管手段から搬送下手側の装置に受け渡す指令を与える制御装置を、前記コンベア装置夫々に設けてある請求項３に記載のボトル成型設備の情報管理システム。
【請求項５】
樹脂製ボトル成型用のプリフォームが多数収容されているコンテナを受け取るコンテナ受取部を設け、
前記コンテナ受取部で受け取った前記コンテナを搬送する第１移送機構を設け、
前記第１移送機構が、複数のコンベア装置を直列に並べて前記コンテナを受渡し搬送する直列リレー搬送経路と、
その直列リレー搬送経路の終端部に、複数の経路に分岐するように複数のコンベア装置を並列に並べる分岐並列リレー搬送経路とを設けてあり、
前記コンテナを反転させて前記コンテナ内の前記プリフォームを放出させるコンテナ反転装置と、
前記コンテナ反転装置によって前記コンテナから放出された多数の前記プリフォームを整列させてブロー成型機に供給する整列搬送装置とを設けた第２移送機構を、前記分岐並列リレー搬送経路夫々の終端部に連繋接続してあるボトル成型設備であって、
前記コンテナ受取部に投入される前記コンテナに付設のプリフォーム情報を読み取る情報読み取り手段を設け、
前記複数のコンベア装置及び前記コンテナ反転装置夫々にプリフォーム情報一時保管手段を設け、
前記コンテナを前記第１移送機構により搬送するに伴って、複数のコンベア装置間で前記コンテナを受け渡しながら搬送すると同時に、その受け渡すコンテナの前記プリフォーム情報を前記情報読み取り手段から前記各コンテナの前記プリフォーム情報一時保管手段に順次リレー式に受け渡す第１情報伝達手段と、
前記コンテナを前記第１移送機構から前記第２移送機構により搬送するに伴って、前記コンテナ反転装置及び前記整列搬送装置を介して前記ブロー成型機に前記プリフォームを受け渡しながら搬送すると同時に、前記プリフォーム情報を前記ブロー成型機により成型される前記樹脂製ボトルと関連付けて保管する記憶手段に、前記プリフォーム情報一時保管手段からのプリフォーム情報を受け渡す第２情報伝達手段を設けてあるボトル成型設備。
【請求項６】
前記コンベア装置夫々に、前記コンテナの受入を検知する受入検知手段と、前記コンテナの送り出しを検知する送り出し検知手段と、
前記コンベア装置の駆動装置を設け、
前記受入検知手段によるコンテナ受入検知から前記送り出し検知手段によるコンテナ送出し検知まで一つのコンテナのみを搬送するように前記駆動装置を作動させ、
前記受入検知手段によるコンテナ受入検知に基づいて搬送上手側の装置からのプリフォーム情報を前記プリフォーム情報一時保管手段に保管すると共に、前記送り出し検知手段によるコンテナ送り出し検知によって、前記プリフォーム情報を前記プリフォーム情報一時保管手段から搬送下手側の装置に受け渡す指令を与える制御装置を、前記コンベア装置夫々に設けてある請求項５に記載のボトル成型設備。
【発明の詳細な説明】
【技術分野】
【０００１】
本発明は樹脂製ボトル成型用のプリフォームが多数収容されているコンテナを受け取るコンテナ受取部を設け、前記コンテナ受取部で受け取った前記コンテナを搬送するコンベア装置を複数設け、その複数のコンベア装置により搬送された前記コンテナから前記プリフォームを受け取って成型するブロー成型機を設けてあるボトル成型設備の情報管理方法及び情報管理システム並びにボトル成型設備に関する。
【背景技術】
【０００２】
従来、前記ボトル成型設備で搬送される各コンテナに付設の、例えば、製造元、製造年月日、製造時間、製造連番号、製造数量などの各ロットのプリフォーム情報を追跡する仕組みが無かったので、複数のコンベアにより移送される中で不明確になり、プリフォーム情報をブロー成型機により成型される樹脂製ボトルに関連付けることができず、ブロー成型設備の運転管理及び樹脂製ボトルの更なる品質向上に活かしきれていなかった（適当な公知文献が見当たらない）。
特に複数のコンベアにより搬送される搬送経路に、分岐経路が含まれる場合は、なおさらプリフォーム情報の追跡を更に困難なものにした。
【発明の概要】
【発明が解決しようとする課題】
【０００３】
そのために、上述した従来のボトル成型設備において、ブロー成型機により成型された樹脂製ボトルは、検査工程で不備のあるボトルが発見されれば、不備なボトルは検査直後に排除されるものの、その不備な原因を追究すべくプリフォームの製造時にまで遡って追跡を行うことが困難であるという問題点がある。
【０００４】
従って、本発明の目的は、上記問題点を解消し、成型された樹脂製ボトルに不備な点が発見されて排除された時に、不備となった原因を、プリフォームの製造時にまで追跡できるようにするところにある。
【課題を解決するための手段】
【０００５】
本発明の第１の特徴構成であるボトル成型設備の情報管理方法は、樹脂製ボトル成型用のプリフォームが多数収容されているコンテナを受け取るコンテナ受取部を設け、前記コンテナ受取部で受け取った前記コンテナを搬送するコンベア装置を複数設け、その複数のコンベア装置により搬送された前記コンテナから前記プリフォームを受け取って成型するブロー成型機を設けてあるボトル成型設備において、前記複数のコンベア装置夫々にプリフォーム情報一時保管手段を設けておいて、前記コンテナ受取部に投入される前記コンテナに付設のプリフォーム情報を読み取り、前記複数のコンベア装置間で前記コンテナを受け渡しながら搬送すると同時に、その受け渡すコンテナにおける前記プリフォーム情報を順次リレー式に複数の前記プリフォーム情報一時保管手段に受け渡し、前記プリフォーム情報一時保管手段におけるプリフォーム情報を、前記ブロー成型機により前記プリフォームから成型される前記樹脂製ボトルに関連付けて保管しておくところにある。
【０００６】
本発明の第１の特徴構成によれば、上記ボトル成型設備において、複数のコンベア装置によりコンテナが搬送される際に、各コンベア装置に設けたプリフォーム情報一時保管手段にコンテナに付設のプリフォーム情報を、コンテナの搬送と共にリレー式に順次受渡し、ブロー成型機へのプリフォームの搬送に伴って成型された樹脂製ボトルに、プリフォーム情報が関連付けて保管され、検査工程で不備が発見され、樹脂製ボトルがボトル成型設備から排除されたとしても、その樹脂製ボトルに関連付けされ保管されたプリフォーム情報を引き出して、プリフォーム製造時にまで遡って、不備の原因を追跡調査ができる。
更に、成型された樹脂製ボトルとプリフォーム情報とが関連付けされるので、樹脂製ボトルの更なる品質向上のために、プリフォーム情報を活用することができる。
また、例え複数のコンベア装置により搬送される移送経路に分岐経路があったとしても、各コンベア装置に設けたプリフォーム情報一時保管手段に搬送されるコンテナのプリフォーム情報が受け渡されるために、そのプリフォーム情報は、プリフォームと共に確実にブロー成型機に送られ、情報管理を確実にできるようになる。
従って、生産設備の保全管理を良好にでき、製品の品質管理及び生産効率の向上に役立つことができるようになった。
【０００７】
本発明の第２の特徴構成であるボトル成型設備の情報管理方法は、樹脂製ボトル成型用のプリフォームが多数収容されているコンテナを受け取るコンテナ受取部を設け、前記コンテナ受取部で受け取った前記コンテナを搬送する第１移送機構を設け、前記第１移送機構が、複数のコンベア装置を直列に並べて前記コンテナを受渡し搬送する直列リレー搬送経路と、その直列リレー搬送経路の終端部に、複数の経路に分岐するように複数のコンベア装置を並列に並べる分岐並列リレー搬送経路とを設けてあり、前記コンテナを反転させて前記コンテナ内の前記プリフォームを放出させるコンテナ反転装置と、前記コンテナ反転装置によって前記コンテナから放出された多数の前記プリフォームを整列させてブロー成型機に供給する整列搬送装置とを設けた第２移送機構を、前記分岐並列リレー搬送経路夫々の終端部に連繋接続してあるボトル成型設備において、前記複数のコンベア装置及び前記コンテナ反転装置夫々にプリフォーム情報一時保管手段を設けておいて、前記コンテナ受取部に投入される前記コンテナに付設のプリフォーム情報を読み取り、前記コンテナを前記第１移送機構及び前記第２移送機構により搬送するに伴って、複数のコンベア装置間で前記コンテナを受け渡しながら搬送すると同時に、その受け渡すコンテナの前記プリフォーム情報を順次リレー式に複数の前記プリフォーム情報一時保管手段に受け渡し、前記コンテナ反転装置及び前記整列搬送装置を介して前記ブロー成型機に前記プリフォームを受け渡しながら搬送すると同時に、前記プリフォーム情報を前記ブロー成型機により成型される前記樹脂製ボトルに関連付けて保管しておくところにある。
【０００８】
本発明の第２の特徴構成によれば、上記ボトル成型設備において、第１移送機構によりコンテナが直列リレー搬送経路で搬送された後に、分岐並列リレー搬送経路で分岐して搬送されても、各コンベア装置に設けたプリフォーム情報一時保管手段にコンテナに付設のプリフォーム情報を受け渡しながら、コンテナと共にプリフォーム情報をもリレー式受渡しにより第２移送機構に渡すことができる。第２移送機構でも、コンテナ反転装置のプリフォーム情報一時保管手段を介してプリフォーム情報の受渡しにより、整列搬送装置からブロー成型機へのプリフォームの搬送に伴って成型された樹脂製ボトルに、プリフォーム情報が関連付けて保管されるために、検査工程で不備が発見され、樹脂製ボトルがボトル成型設備から排除されたとしても、その樹脂製ボトルに関連付けされ保管されたプリフォーム情報を引き出して、プリフォーム製造時にまで遡って、不備の原因を追跡調査ができる。
更に、成型された樹脂製ボトルとプリフォーム情報とが関連付けされるので、樹脂製ボトルの更なる品質向上のために、プリフォーム情報を活用することができる。
従って、生産設備の保全管理を良好にでき、製品の品質管理及び生産効率の向上に役立つことができるようになった。
【０００９】
本発明の第３の特徴構成のボトル成型設備の情報管理システムは、樹脂製ボトル成型用のプリフォームが多数収容されているコンテナを受け取るコンテナ受取部を設け、前記コンテナ受取部で受け取った前記コンテナを搬送する第１移送機構を設け、前記第１移送機構が、複数のコンベア装置を直列に並べて前記コンテナを受渡し搬送する直列リレー搬送経路と、その直列リレー搬送経路の終端部に、複数の経路に分岐するように複数のコンベア装置を並列に並べる分岐並列リレー搬送経路とを設けてあり、前記コンテナを反転させて前記コンテナ内の前記プリフォームを放出させるコンテナ反転装置と、前記コンテナ反転装置によって前記コンテナから放出された多数の前記プリフォームを整列させてブロー成型機に供給する整列搬送装置とを設けた第２移送機構を、前記分岐並列リレー搬送経路夫々の終端部に連繋接続してあるボトル成型設備において、前記コンテナ受取部に投入される前記コンテナに付設のプリフォーム情報を読み取る情報読み取り手段を設け、前記複数のコンベア装置及び前記コンテナ反転装置夫々にプリフォーム情報一時保管手段を設け、前記コンテナを前記第１移送機構により搬送するに伴って、複数のコンベア装置間で前記コンテナを受け渡しながら搬送すると同時に、その受け渡すコンテナの前記プリフォーム情報を前記情報読み取り手段から前記各コンテナの前記プリフォーム情報一時保管手段に順次リレー式に受け渡す第１情報伝達手段と、前記コンテナを前記第１移送機構から前記第２移送機構により搬送するに伴って、前記コンテナ反転装置及び前記整列搬送装置を介して前記ブロー成型機に前記プリフォームを受け渡しながら搬送すると同時に、前記プリフォーム情報を前記ブロー成型機により成型される前記樹脂製ボトルと関連付けて保管する記憶手段に、前記プリフォーム情報一時保管手段からのプリフォーム情報を受け渡す第２情報伝達手段を設けてあるところにある。
【００１０】
本発明の第３の特徴構成によれば、上記のボトル成型設備の情報管理方法を、コンテナに付設のプリフォーム情報を読み取る情報読み取り手段、複数のコンベア装置及びコンテナ反転装置夫々にプリフォーム情報一時保管手段、第１移送機構における第１情報伝達手段、第２移送機構における第２情報伝達手段、を設けることにより、コンテナを搬送するに伴って、情報読み取り手段で読み取ったプリフォーム情報を、第１情報伝達手段と第２情報伝達手段によってプリフォーム情報一時保管手段にリレー式に受渡してコンテナと共に移送し、ブロー成型機で成型される樹脂製ボトルにプリフォーム情報を関連付けて保管できるように、記憶手段を設けてある情報管理システムにより実現できる。
従って、ブロー成型機により成型される樹脂製ボトルの品質管理及び生産管理が、良好にできるようになる。
【００１１】
本発明の第４の特徴構成は、前記第３の特徴構成において、前記コンベア装置夫々に、前記コンテナの受入を検知する受入検知手段と、前記コンテナの送り出しを検知する送り出し検知手段と、前記コンベア装置の駆動装置を設け、前記受入検知手段によるコンテナ受入検知から前記送り出し検知手段によるコンテナ送出し検知まで一つのコンテナのみを搬送するように前記駆動装置を作動させ、前記受入検知手段によるコンテナ受入検知に基づいて搬送上手側の装置からのプリフォーム情報を前記プリフォーム情報一時保管手段に保管すると共に、前記送り出し検知手段によるコンテナ送り出し検知によって、前記プリフォーム情報を前記プリフォーム情報一時保管手段から搬送下手側の装置に受け渡す指令を与える制御装置を、前記コンベア装置夫々に設けてあるところにある。
【００１２】
本発明の第４の特徴構成によれば、各コンベア装置に移送されてきたコンテナは、制御装置により、受入検知手段の受入検知に基づいて、搬送上手側の装置から受け渡されるプリフォーム情報が、プリフォーム一時保管手段に保管されると共に、コンベア装置に固有の駆動装置が作動し、コンテナがそのコンベア装置から放出される前に、送り出し検知手段によるコンテナ送り出し検知に基づいて、一時保管したプリフォーム情報を搬送下手側の装置に受け渡す。従って、搬送されるコンテナは、コンテナ内のプリフォームと共に、プリフォーム情報をプリフォームの移送先にまで移送させて確実にブロー成型機により成型される樹脂製ボトルに関連付けることができる。
【００１３】
本発明の第５のボトル成型設備の特徴構成は、樹脂製ボトル成型用のプリフォームが多数収容されているコンテナを受け取るコンテナ受取部を設け、前記コンテナ受取部で受け取った前記コンテナを搬送する第１移送機構を設け、前記第１移送機構が、複数のコンベア装置を直列に並べて前記コンテナを受渡し搬送する直列リレー搬送経路と、その直列リレー搬送経路の終端部に、複数の経路に分岐するように複数のコンベア装置を並列に並べる分岐並列リレー搬送経路とを設けてあり、前記コンテナを反転させて前記コンテナ内の前記プリフォームを放出させるコンテナ反転装置と、前記コンテナ反転装置によって前記コンテナから放出された多数の前記プリフォームを整列させてブロー成型機に供給する整列搬送装置とを設けた第２移送機構を、前記分岐並列リレー搬送経路夫々の終端部に連繋接続してあるボトル成型設備であって、前記コンテナ受取部に投入される前記コンテナに付設のプリフォーム情報を読み取る情報読み取り手段を設け、前記複数のコンベア装置及び前記コンテナ反転装置夫々にプリフォーム情報一時保管手段を設け、前記コンテナを前記第１移送機構により搬送するに伴って、複数のコンベア装置間で前記コンテナを受け渡しながら搬送すると同時に、その受け渡すコンテナの前記プリフォーム情報を前記情報読み取り手段から前記各コンテナの前記プリフォーム情報一時保管手段に順次リレー式に受け渡す第１情報伝達手段と、前記コンテナを前記第１移送機構から前記第２移送機構により搬送するに伴って、前記コンテナ反転装置及び前記整列搬送装置を介して前記ブロー成型機に前記プリフォームを受け渡しながら搬送すると同時に、前記プリフォーム情報を前記ブロー成型機により成型される前記樹脂製ボトルと関連付けて保管する記憶手段に、前記プリフォーム情報一時保管手段からのプリフォーム情報を受け渡す第２情報伝達手段を設けてあるところにある。
【００１４】
本発明の第５の特徴構成によれば、コンテナに付設のプリフォーム情報を読み取る情報読み取り手段、複数のコンベア装置及びコンテナ反転装置夫々にプリフォーム情報一時保管手段、第１移送機構における第１情報伝達手段、第２移送機構における第２情報伝達手段、を設けることにより、コンテナを搬送するに伴って、情報読み取り手段で読み取ったプリフォーム情報を、第１情報伝達手段と第２情報伝達手段によってプリフォーム情報一時保管手段にリレー式に受渡してコンテナと共に移送し、ブロー成型機で成型される樹脂製ボトルにプリフォーム情報を関連付けて保管できるように、記憶手段を設けてあることにより情報管理ができるボトル成型設備を提供できる。
従って、ブロー成型機により成型される樹脂製ボトルの品質管理及び生産管理が、良好にできるようになる。
【００１５】
本発明の第６の特徴構成は、前記コンベア装置夫々に、前記コンテナの受入を検知する受入検知手段と、前記コンテナの送り出しを検知する送り出し検知手段と、前記コンベア装置の駆動装置を設け、前記受入検知手段によるコンテナ受入検知から前記送り出し検知手段によるコンテナ送出し検知まで一つのコンテナのみを搬送するように前記駆動装置を作動させ、前記受入検知手段によるコンテナ受入検知に基づいて搬送上手側の装置からのプリフォーム情報を前記プリフォーム情報一時保管手段に保管すると共に、前記送り出し検知手段によるコンテナ送り出し検知によって、前記プリフォーム情報を前記プリフォーム情報一時保管手段から搬送下手側の装置に受け渡す指令を与える制御装置を、前記コンベア装置夫々に設けてあるところにある。
【００１６】
本発明の第６の特徴構成によれば、各コンベア装置に移送されてきたコンテナは、制御装置により、受入検知手段の受入検知に基づいて、搬送上手側の装置から受け渡されるプリフォーム情報が、プリフォーム一時保管手段に保管されると共に、コンベア装置に固有の駆動装置が作動し、コンテナがそのコンベア装置から放出される前に、送り出し検知手段によるコンテナ送り出し検知に基づいて、一時保管したプリフォーム情報を搬送下手側の装置に受け渡す。従って、搬送されるコンテナは、コンテナ内のプリフォームと共に、プリフォーム情報をプリフォームの移送先にまで移送させて確実にブロー成型機により成型される樹脂製ボトルに関連付けることができる。
【図面の簡単な説明】
【００１７】
【図１】本発明のボトル成型設備の概略システム図である。
【図２】（ａ）プリフォームが梱包されたコンテナの斜視図、（ｂ）コンベア装置により搬送される状態のコンテナの斜視図である。
【発明を実施するための形態】
【００１８】
以下に本発明の実施の形態を図面に基づいて説明する。
図１に示すように、ＰＥＴボトル等の樹脂製ボトル２３を成型する設備において、ブロー成型する前の試験管状の樹脂製ボトル２３のプリフォーム１が、ポリ袋１２に多数本梱包した状態でコンテナ２内に収容して（図２（ａ））、トラックなどの搬送車により搬送されてくるのを、コンテナ２ごと受け取るコンテナ受取部３を設け、コンテナ受取部３で受け取ったコンテナ２を搬送する第１移送機構４を設け、コンテナ２を反転させてコンテナ２内のプリフォーム１を放出させるコンテナ反転装置５と、コンテナ反転装置５によってコンテナ２から放出された多数のプリフォーム１を整列させてブロー成型機６に供給する整列搬送装置７とを設けた第２移送機構８を、第1移送機構４の終端部に連繋接続してある。
【００１９】
前記第１移送機構４は、複数のコンベア装置９を直列に並べてコンテナ２を受渡し搬送する直列リレー搬送経路１０と、その直列リレー搬送経路１０の終端部に、複数の経路に分岐するように複数のコンベア装置９を並列に並べる分岐並列リレー搬送経路１1とを設けてあり、分岐並列リレー搬送経路１1夫々の終端部に、第２移送機構８のコンテナ反転装置５が連繋接続させてある。
【００２０】
前記コンテナ受取部３においては、コンテナ２内のプリフォーム１をコンテナ反転装置５で反転させて取り出せるように、図２（ａ）→（ｂ）に示すように、多数のプリフォーム１を梱包するポリ袋１２を開放状態にして、コンテナ２の外側にそのポリ袋１２の開放端部を被せてからコンベア装置９に送り出し搬送される。この時、コンテナ２の側面にＱＲコード１３で表示されたプリフォーム情報が読み取り困難になるために、ポリ袋１２を開放状態にする前にＱＲコード１３を読み取りプリフォーム情報を取得する情報読み取り手段１４を設けてある。
【００２１】
前記複数のコンベア装置９夫々に、コンテナ２の受入を検知する受入検知手段１５と、コンテナ２の送り出しを検知する送り出し検知手段１６とを設け、コンベア装置９夫々に固有の駆動装置１７とプリフォーム情報一時保管手段１８を設け、受入検知手段１５によるコンテナ受入検知から送り出し検知手段１６によるコンテナ送り出し検知まで一つのコンテナ２のみを搬送するように駆動装置１７を作動させ、受入検知手段１５によるコンテナ受入検知に基づいて搬送上手側の装置からのプリフォーム情報をプリフォーム情報一時保管手段１８に保管すると共に、送り出し検知手段１６によるコンテナ送り出し検知によって、プリフォーム情報をプリフォーム情報一時保管手段１８から搬送下手側の装置に受け渡す指令を与える制御装置１９を設けてある。
【００２２】
前記コンテナ反転装置５においても、コンテナ２の受入を検知する受入検知手段１５と、反転駆動装置２０、プリフォーム情報一時保管手段１８、コンテナ２の反転操作により放出させたプリフォーム１の送り出し検知手段、及び、送り出し検知手段１６によるプリフォーム１送り出し検知によって、プリフォーム情報をプリフォーム情報一時保管手段１８から搬送下手側に受け渡す指令を与える制御装置１９を設けてある。
【００２３】
また、コンテナ２を第１移送機構４により搬送するに伴って、複数のコンベア装置９間でコンテナ２を受け渡しながら搬送すると同時に、その受け渡すコンテナ２のプリフォーム情報を、情報読み取り手段１４から各コンベア装置９に設けたプリフォーム情報一時保管手段１８に順次リレー式に受け渡す第１情報伝達手段２１と、コンテナ２を第1移送機構４から第２移送機構８により搬送するに伴って、コンテナ反転装置５及び整列搬送装置７を介してブロー成型機６にプリフォーム１を搬送すると同時に、プリフォーム情報をブロー成型機６により成型される樹脂製ボトル２３と関連付けて保管する記憶手段２４に、プリフォーム情報一時保管手段１８からのプリフォーム情報を受け渡す第２情報伝達手段２２を設けてある。
つまり、ブロー成型機により成型された樹脂製ボトル２３には、印字手段２５により個別認識できるように印字され、その印字されたボトル２３とプリフォーム一時保管手段１８からのプリフォーム情報とが、記憶手段２４に関連付けされて記憶される。
【００２４】
つまり、各コンテナ２の側面に付設されたＱＲコード１３で表されるプリフォーム情報は、例えば、製造元、製造年月日、製造時間、製造連番号、製造数量などの各ロットの情報で、この情報が、コンテナ２の搬送及びプリフォーム１の搬送に伴って、各プリフォーム情報一時保管手段１８にリレー式に受け渡され、最後に、ブロー成型機６により成形される樹脂製ボトル２３に関連付けられ、記憶手段２４に保管される。
従って、成形された樹脂製ボトル２３に不備な点が発見されれば、そのボトル２３に関連付けて記憶手段２４に保管されたプリフォーム情報を引き出せば、プリフォーム製造時の状況を遡って調べて、原因追求ができる。
更に、成型された樹脂製ボトルとプリフォーム情報とが関連付けされるので、樹脂製ボトルの更なる品質向上のために、プリフォーム情報を活用することができる。
尚、記憶手段２４には、コンテナ２の受入時の日時や、どの搬送ラインを通って、どの生産ライン（ボトル製造ラインの他、ボトルへの液体充填ライン等）に供給されたかを同時に記憶してあれば、ボトル詰め液体製品の品質管理に役立てることができる。
【００２５】
〔別実施形態〕
以下に他の実施の形態を説明する。
【００２６】
〈１〉  前記コンテナ２に付設するプリフォーム情報は、ＱＲコード１３の他にバーコードや、磁気フィルムに書き込まれた情報であってもよい。
〈２〉  樹脂製ボトルは、ポリエステル樹脂（ＰＥＴ）以外に、ポリエチレン樹脂（ＰＥ）などの他の樹脂成形品であっても良い。
【００２７】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２８】
１      プリフォーム
２      コンテナ
３      コンテナ受取部
４      第１移送機構
５      コンテナ反転装置
６      ブロー成型機
７      整列搬送装置
８      第２移送機構
９      コンベア装置
１０    直列リレー搬送経路
１１    分岐並列リレー搬送経路
１８    プリフォーム情報一時保管手段
２３    樹脂製ボトル
【図１】
0005589245.tif 000002
【図２】
0005589245.tif 000003